(57)【特許請求の範囲】
【請求項１】
連続式ショットブラスト設備において製品を搬送する複数の台車を連続的に循環移送する設備であって、
複数の台車を研掃室に順次連続的に送り込むとともに研掃室内を連ねて押して移動させる台車連続的送り込み装置と、
前記研掃室を通過後の台車を搬送して再び前記台車連続的送り込み装置に戻す台車循環搬送装置と、
を具備し、
前記台車連続的送り込み装置は、
水平に延びて前記研掃室を貫通し前記台車をこれの車輪を介して載せる一対のレールと、
この一対のレールにおける前記台車の送り込み位置に垂直面内で連続的に回転可能にして配設され所要の長さを有する無端ローラーチェーンと、
この無端ローラーチェーンに所要の間隔をおくとともに上下回動可能に枢支されて装着され前記台車の突起部にそれぞれ係止分離可能な複数の爪部材と、
この爪部材を所定区間内において前記台車の突起部に係止分離させるべく上下回動させる案内部材と、
前記無端ローラーチェーンを連続的に回転させる駆動手段と、
前記無端ローラーチェーンにおける前記研掃室の反対側に配設され前記無端ローラーチェーンに台車を供給する台車供給手段と、
で構成し、
前記台車循環搬送装置は、前記台車の移動方向に沿って順に配設された第１の駆動機構付きローラコンベヤと、第１の駆動機構付きチェーンコンベヤと、第２の駆動機構付きローラコンベヤと、第２の駆動機構付きチェーンコンベヤと、で構成したことを特徴とする連続式ショットブラスト設備における台車の連続移送設備。
【発明の詳細な説明】
【０００１】
【発明の属する技術分野】
本発明は、連続式ショットブラスト設備において製品を搬送する複数の台車を連続的に循環移送する設備に関する。
【０００２】
【従来の技術】
従来、製品を連続的にショットブラストする設備の一つとして、研掃室を構成するキャビネットにこれを貫通して延びるチェーンコンベヤを配設し、このチェーンコンベヤに複数の台車を介在して製品を載せ、これによって複数の製品を連続的に搬送し、さらに製品の搬送途中でショットを投射して製品をショットブラストするように構成されたものがある。
【０００３】
【発明が解決しようとする課題】
しかし、このように構成された従来のチェーンコンベヤ式製品搬送装置では、チェーンコンベヤがショットの投射を受けて早期に摩耗するため、このチェーンコンベヤのメンテナンスや設備の稼働率などの点で色々の問題があった。
【０００４】
本発明は上記の事情に鑑みて成されたもので、その目的は、メンテナンスや設備の稼動率の点で特長を有するものであって、連続式ショットブラスト設備において製品を搬送する複数の台車を連続的に循環移送する設備を提供することにある。
【０００５】
【課題を解決するための手段】
上記の目的を達成するために本発明の連続式ショットブラスト設備における台車の連続移送設備は、連続式ショットブラスト設備において製品を搬送する複数の台車を連続的に循環移送する設備であって、複数の台車を研掃室に順次連続的に送り込むとともに研掃室内を連ねて押して移動させる台車連続的送り込み装置と、前記研掃室を通過後の台車を搬送して再び前記台車連続的送り込み装置に戻す台車循環搬送装置と、を具備し、前記台車連続的送り込み装置は、水平に延びて前記研掃室を貫通し前記台車をこれの車輪を介して載せる一対のレールと、この一対のレールにおける前記台車の送り込み位置に垂直面内で連続的に回転可能にして配設され所要の長さを有する無端ローラーチェーンと、この無端ローラーチェーンに所要の間隔をおくとともに上下回動可能に枢支されて装着され前記台車の突起部にそれぞれ係止分離可能な複数の爪部材と、この爪部材を所定区間内において前記台車の突起部に係止分離させるべく上下回動させる案内部材と、前記無端ローラーチェーンを連続的に回転させる駆動手段と、前記無端ローラーチェーンにおける前記研掃室の反対側に配設され前記無端ローラーチェーンに台車を供給する台車供給手段と、で構成し、前記台車循環搬送装置は、前記台車の移動方向に沿って順に配設された第１の駆動機構付きローラコンベヤと、第１の駆動機構付きチェーンコンベヤと、第２の駆動機構付きローラコンベヤと、第２の駆動機構付きチェーンコンベヤと、で構成したことを特徴とする。
【０００６】
このように構成された設備は、台車連続的送り込み装置の駆動手段を駆動して無端ローラーチェーンを爪部材が研掃室に向かって進むように回転させた状態の下に、台車連続的送り込み装置の台車供給手段によって台車を１台づつ無端ローラーチェーンに供給すると、供給された台車は、無端ローラーチェーンの回転に伴い、案内部材によって上下回動する爪部材の係止分離によって押されるようにしてレール上を移動されて研掃室内を通過する。研掃室内を通過した台車は、台車循環搬送装置の第１の駆動機構付きローラーコンベヤで受けられたのち、台車循環搬送装置によって再び台車連続的送り込み装置に戻される。
【０００７】
【実施例１】
以下、発明の一実施例について図１〜図５に基づき詳細に説明する。図３および図４に示すように、本発明の実施例を適用した連続式ショットブラスト設備は、研掃室を構成するキャビネット１と、キャビネット１に複数の台車２・２を順次連続的に送り込むとともにキャビネット１内を右方向に連ねて押して移動させる台車連続的送り込み装置３と、前記キャビネット１を通過後の台車２・２を搬送して再び前記台車連続的送り込み装置３に戻す台車循環搬送装置４とで構成してある。
【０００８】
また、前記台車連続的送り込み装置３は、図１〜図４に示すように、水平に延びて前記キャビネット１を貫通し前記台車２をこれの車輪５・５を介して載せる一対のレール６・６と、この一対のレール６・６における前記台車２の送り込み位置に垂直面内で連続的に回転可能にして配設され所要の長さを有する２条の無端ローラーチェーン７・７と、これら２条の無端ローラーチェーン７・７間に左右方向に所要の間隔をおくとともに連結ピン８a・８aによって上下回動可能に枢支されて装着され前記台車２の突起部２ａにそれぞれ係止分離可能な複数の爪部材８・８と、これらの爪部材８・８を所定区間内において前記台車２の突起部２ａに係止分離させるべく上下回動させる案内部材９と、前記無端ローラーチェーン７・７を連続的に回転させる駆動手段１０と、前記無端ローラーチェーン７・７における前記キャビネット１の反対側に配設され前記無端ローラーチェーン７・７に台車２・２を供給する台車供給手段１１と、で構成してある。
【０００９】
そして、前記駆動手段１０は、前記無端ローラーチェーン７・７が架け渡された２対の鎖車１２・１２と、２対の軸受１３・１３によって支持されかつ前記２対の鎖車１２・１２が１対づつ所要の間隔をおいて嵌着された２本の回転軸１４・１５と、一方の回転軸１５の一端に出力軸が連結された減速機付きモータ１６とで構成してある。
また、前記台車供給手段１１は、ローラーコンベヤ１７と、ローラーコンベヤ１７上の台車２・２を前記無端ローラーチェーン７・７上に牽引するアーム１８付き横向きのシリンダ１９と、で構成してある。
【００１０】
また、前記台車循環搬送装置４は、台車２・２の移動方向に沿って順に、第１の駆動機構付きローラコンベヤ２０と、第１の駆動機構付きチェーンコンベヤ２１と、第２の駆動機構付きローラコンベヤ２２と、第２の駆動機構付きチェーンコンベヤ２３と、で構成してある。なお、前記爪部材８・８の各先端にはローラー２４が軸支してある。またなお、前記台車連続的送り込み装置３の大部分および前記台車循環搬送装置４の一部は、包囲された構造になっている。さらになお、図中符号２５はショット遠心投射装置、２６はショット回収用スクリューコンベヤである。
【００１１】
次に、このように構成した設備を用いて複数の製品Ｗ・Ｗをキャビネット１内に順次連続的に送り込みショットブラストする手順について述べる。台車連続的送り込み装置３の駆動手段１０の減速機付きモータ１６を駆動して無端ローラーチェーン７・７を爪部材８・８がキャビネット１に向かって進むように回転させ、さらに台車循環搬送装置４を駆動させた状態の下に、台車供給手段１１のアーム１８付き横向きのシリンダ１９を収縮作動して台車供給手段１１のローラーコンベヤ１７上の台車２・２を順次無端ローラーチェーン７・７に供給すると、供給された台車２・２は、無端ローラーチェーン７・７の回転に伴って爪部材８・８によって押されるようにしてレール７・７上を移動されてキャビネット１に入れられる。
【００１２】
この場合、爪部材８・８は、図５に示すように、キャビネット１に向かって移動するにしたがって、時計回りに方向に回転されて、先端がローラー２４を介して台車２の突起部２ａに係止し（図５のイおよびロ参照）、所定距離移動した後分離される（図５のハ参照）
。以上の作用が複数の台車２・２に対して順次行なわれて、複数の台車２・２は、連続的に連なった状態でキャビネット１内を連続して移送されることとなる。
【００１３】
キャビネット１内を通過した台車２・２は、この上の製品Ｗ・Ｗがショット遠心投射装置２５・２５からのショットを受けてショットブラストされ、続いて、台車２・２は、台車循環搬送装置４の第１の駆動機構付きローラコンベヤ２０と、第１の駆動機構付きチェーンコンベヤ２１と、第２の駆動機構付きローラコンベヤ２２と、第２の駆動機構付きチェーンコンベヤ２３と、によって、再び台車連続的送り込み装置３に戻され、かつ、人手によって、製品Ｗ・Ｗが取り除かれる。
【００１４】
【発明の効果】
上記の説明から明らかなように、本発明は、連続式ショットブラスト設備において製品を搬送する複数の台車を連続的に循環移送する設備であって、複数の台車を研掃室に順次連続的に送り込むとともに研掃室内を連ねて押して移動させる台車連続的送り込み装置と、前記研掃室を通過後の台車を搬送して再び前記台車連続的送り込み装置に戻す台車循環搬送装置と、を具備し、前記台車連続的送り込み装置は、水平に延びて前記研掃室を貫通し前記台車をこれの車輪を介して載せる一対のレールと、この一対のレールにおける前記台車の送り込み位置に垂直面内で連続的に回転可能にして配設され所要の長さを有する無端ローラーチェーンと、この無端ローラーチェーンに所要の間隔をおくとともに上下回動可能に枢支されて装着され前記台車の突起部にそれぞれ係止分離可能な複数の爪部材と、この爪部材を所定区間内において前記台車の突起部に係止分離させるべく上下回動させる案内部材と、前記無端ローラーチェーンを連続的に回転させる駆動手段と、前記無端ローラーチェーンにおける前記研掃室の反対側に配設され前記無端ローラーチェーンに台車を供給する台車供給手段と、で構成し、前記台車循環搬送装置は、前記台車の移動方向に沿って順に配設された第１の駆動機構付きローラコンベヤと、第１の駆動機構付きチェーンコンベヤと、第２の駆動機構付きローラコンベヤと、第２の駆動機構付きチェーンコンベヤと、で構成したから、チェーンコンベアを用いることなく、台車を研掃室内を通過させることが可能になり、これに伴って、従来のこの種の装置に比べて、メンテナンスが極めて容易になるとともに設備の稼働率を上げることができるなどの優れた実用的効果を奏する。加えて、製品を台車を介して連続的に移動させることができるため、製品をほぼ均一にショットブラストすることが可能になる。
【図面の簡単な説明】
【図１】本発明の一実施例を示す概略正面図である。
【図２】図１の左側面図である。
【図３】本発明を適用したショットブラスト設備の一部切り欠き断面正面図である。
【図４】図３の平面図である。
【図５】図１の主要部の作動説明図である。
【符号の説明】
台車
２ａ  突起部
６  レール
無端ローラーチェーン
８  爪部材
９  案内部材
１０  駆動手段
１１  台車供給手段
【図１】
0003968682.tif 000002
【図２】
0003968682.tif 000003
【図３】
0003968682.tif 000004
【図４】
0003968682.tif 000005
【図５】
0003968682.tif 000006